(57)【要約】【課題】  非常に広範囲な場所の草刈りや樹枝の剪定作業を効率的に行うことができると共に、装置構成が単純でメンテナンス性に優れた草刈剪定機を提供する。【解決手段】  油圧ショベル等の重機ＸのアームＹ先端に取り付けられる草刈剪定機１０であって、ベースプレート１２と、ベースプレート１２の一端側に配設された駆動スプロケット１４と、ベースプレート１２の他端側に配設された従動スプロケット１６と、ベースプレート１２の周縁に沿って配設された複数の固定刃１８と、駆動スプロケット１４と、従動スプロケット１６に巻き掛けられたローラーチェーン２０と、ローラーチェーン２０の外周に沿って所定間隔で配設された複数の回転刃２２と、回転駆動される回転刃２２の浮き上がりを抑える抑制手段２４とを含んで成ることを特徴とする。【選択図】  図２
2018057278.tif 000002
【特許請求の範囲】
【請求項１】
油圧ショベル等の重機のアーム先端に取り付けられる草刈剪定機であって、
ベースプレートと、
前記ベースプレートの一端側に配設された駆動スプロケットと、
前記ベースプレートの他端側に配設された従動スプロケットと、
前記ベースプレートの周縁に沿って配設された複数の固定刃と、
前記駆動スプロケットと、前記従動スプロケットに巻き掛けられたローラーチェーンと、
前記ローラーチェーンの外周に沿って所定間隔で配設された複数の回転刃と、
回転駆動される前記回転刃の浮き上がりを抑える抑制手段と
を含んで成ることを特徴とする草刈剪定機。
【請求項２】
前記ベースプレートにおける前記複数の固定刃の配設位置に、前記固定刃を補助する補助プレートが突設されていることを特徴とする請求項１に記載の草刈剪定機。
【請求項３】
前記回転刃が三角形状をなし、前記固定刃と接触した状態で回転駆動されることを特徴とする請求項１又は請求項２に記載の草刈剪定機。
【請求項４】
前記回転刃が鎌形状をなし、前記固定刃と接触した状態、又は所定の隙間を空けた状態で回転駆動されることを特徴とする請求項１又は請求項２に記載の草刈剪定機。
【請求項５】
前記固定刃と前記回転刃との間に潤滑油を供給する潤滑油供給手段を備えることを特徴とする請求項１から請求項４の何れかに記載の草刈剪定機。
【請求項６】
前記駆動スプロケットと前記従動スプロケットとの間隔を調節するための間隔調節手段を備えることを特徴とする請求項１から請求項５の何れかに記載の草刈剪定機。
【発明の詳細な説明】
【技術分野】
【０００１】
本発明は、道路脇や土手、河川敷といった広範囲な場所に生えている雑草の刈り取りや樹枝剪定に好適な草刈剪定機に関する。
【背景技術】
【０００２】
従来から、道路脇や土手、河川敷といった広範囲な場所に生えている雑草を刈り取るための草刈機が種々開示されている（例えば、特許文献１乃至特許文献３参照）。特許文献１には、原動機により刈払装置が駆動される刈払機において、左右方向に並設した複数のスプロケットに巻回されるチェーンを一定方向へ回転駆動可能とし、該チェーンの外周部に複数の刈刃を取り付け、刈払装置の前部に位置する刈刃の上方に、鋸状に形成した固定刃を近接して設けて刈払装置を構成したことを特徴とする刈払機が開示されている。従来の刈払機における作業時の労力負担を軽減すると共に、刈払範囲の広範囲化が図られている。
【０００３】
また、特許文献２に開示された草刈機の回転鎌は、円板体を有し、該円板体にチェーンを保定し、該チェーンには前記円板体が反時計方向又は時計方向のいずれの方向に回転されたときでも草を刈り取れるよう刃体を止着し、前記円板体を動力源の回転力により回転させて草を刈り取れるようにしたことを特徴とする。円板体を回転させると、それに伴ってチェーンが遠心方向に延びた状態で円板体の回転方向と同一方向に周回し、チェーンに止着された刃体の刃によって草が刈り取られ、石垣等の凸凹した硬い物にチェーンが当たるとチェーンは良く撓むため石垣等に傷が付き難く刃体も損傷し難い旨、記載されている。
【０００４】
更に、特許文献３に開示された草刈装置は、屈伸自在の油圧駆動アームを有すると共に自走可能な作業機械の前記アーム先端に着脱可能に取り付けられる草刈装置において、前記油圧駆動アームの先端に取り付けられた際に軸受および回転駆動装置を介して回転動作可能に設け、かつ別途設けたモータからの回転動力を歯車伝導機構およびクランクアームに伝導し、このクランクアームから上下一対で摺動自在に重ね合された上櫛刃板または下櫛刃板に直線往復する動力を伝達してこれら櫛刃板同士の相対的な往復摺動により挟み切断を可能とする機構を設け、前記往復摺動する上櫛刃板または下櫛刃板と同じ重さのカウンタ錘を設けると共に前記歯車伝導機構に連動するクランクアームを別途設け、このクランクアームを介して前記カウンタ錘は前記往復摺動と逆位相で往復動作させて慣性振動を吸収する機構を設けたことを特徴とする。大型の土木作業用機械である重機のアーム先端に取り付けられる大型の草刈装置において、刃の高速スライド動作によって振動が生じにくいものとしている。
【先行技術文献】
【特許文献】
【０００５】
【特許文献１】特開２０００−３２８２６号公報
【特許文献２】特許第２６８４００９号公報
【特許文献３】特開２００６−１４１２８９号公報
【発明の概要】
【発明が解決しようとする課題】
【０００６】
特許文献１に開示された刈払機によると、比較的広範囲な場所の草刈りを行うことができ、作業者の負担軽減も図られるものと思料する。しかしながら、例えば高速道路脇の草刈り作業のように、草刈りが必要な範囲が何キロにもわたって続くような場所では、特許文献１に開示された刈払機のような構成では限界があり、更に広範囲な場所の草刈りを効率的に行い得る草刈機が求められていた。
【０００７】
特許文献２に開示された草刈機の回転鎌や特許文献３に開示された草刈装置によると、特許文献１に開示された刈払機に比べてより広範囲な場所の草刈りが行えるものと思料する。また、何れも重機のアーム先端に取り付けて使用できるため、作業者の負担が大幅に軽減されると共に、作業効率の大幅な向上が図られるものと思料する。
【０００８】
しかしながら、特許文献２に開示された草刈機の回転鎌では、草刈りの際に石や枝等を周囲に飛散させるおそれがあり、相当の注意を払う必要がある。また、特許文献３に開示された草刈装置は装置自体の構成が複雑になる。更に、基本的には一方向にしか草刈りができないため、例えば重機のアームを左右に動かして草刈りを行いたい場合には、その都度、草刈装置の向きを変えなければならず、非常に煩雑であると共に、作業効率の悪化を招くこととなる。
【０００９】
そこで本願発明者は、上記の問題点に鑑み、非常に広範囲な場所の草刈りや樹枝の剪定作業を効率的に行うことができると共に、装置構成が単純でメンテナンス性に優れた草刈剪定機を提供するべく鋭意検討を重ねた結果、本発明に至ったのである。
【課題を解決するための手段】
【００１０】
即ち、本発明は、油圧ショベル等の重機のアーム先端に取り付けられる草刈剪定機であって、ベースプレートと、前記ベースプレートの一端側に配設された駆動スプロケットと、前記ベースプレートの他端側に配設された従動スプロケットと、前記ベースプレートの周縁に沿って配設された複数の固定刃と、前記駆動スプロケットと、前記従動スプロケットに巻き掛けられたローラーチェーンと、前記ローラーチェーンの外周に沿って所定間隔で配設された複数の回転刃と、回転駆動される前記回転刃の浮き上がりを抑える抑制手段とを含んで成ることを特徴とする。
【００１１】
また、本発明の草刈剪定機において、前記ベースプレートにおける前記複数の固定刃の配設位置に、前記固定刃を補助する補助プレートが突設されていることを特徴とする。
【００１２】
更に、本発明の草刈剪定機において、前記回転刃が三角形状をなし、前記固定刃と接触した状態で回転駆動されることを特徴とする。
【００１３】
また、本発明の草刈剪定機において、前記回転刃が鎌形状をなし、前記固定刃と接触した状態、又は所定の隙間を空けた状態で回転駆動されることを特徴とする。
【００１４】
また、本発明の草刈剪定機において、前記固定刃と前記回転刃との間に潤滑油を供給する潤滑油供給手段を備えることを特徴とする。
【００１５】
更にまた、本発明の草刈剪定機において、前記駆動スプロケットと前記従動スプロケットとの間隔を調節するための間隔調節手段を備えることを特徴とする。
【発明の効果】
【００１６】
本発明の草刈剪定機によると、非常に広範囲な場所の草刈りや樹枝の剪定作業を効率的に行うことができる。特に、高速道路脇等の何キロにもわたって草刈りや剪定をしなければならない場所であっても、作業者は重機を操縦するのみで、簡単且つ高効率で草刈り作業や剪定作業を行うことができる。
【００１７】
また、本発明の草刈剪定機は、装置構成が非常に単純であるため、メンテナンス性に優れている。草刈り作業等によって固定刃や回転刃の一部が欠けたり割れたりした場合であっても、不具合のある刃のみ交換することができるため、メンテナンスコストの低減も図られる。
【００１８】
更に、本発明の草刈剪定機は、草刈剪定機自体のサイズを適宜、変更することによって、草刈りや剪定が必要な場所を選ぶことなく、あらゆる場所に適用することができる。即ち、大型の重機が使用可能な広範囲な場所であれば、草刈剪定機自体を大型化することによって、更に高効率で草刈り作業等を行うことができ、狭小な場所であれば、草刈剪定機自体を小型化すると共に小型の重機を使用することによって対応可能となる。
【００１９】
また、本発明の草刈剪定機に係るベースプレートの複数の固定刃の配設位置に、固定刃を補助する補助プレートを突設することによって、固定刃を補強することができるため、茎の硬い草木等を刈る場合でも、固定刃の割れを防止することができ、固定刃の長寿命化を図ることができる。また、補助プレートによる補強によって固定刃を薄く形成しても十分な強度が確保でき、固定刃自体の製造コストを削減することができ、メンテナンスコストの軽減も図られる。
【００２０】
更に、本発明の草刈剪定機に係る回転刃が三角形状をなし、この三角形状をなす回転刃を固定刃と接触した状態で回転駆動することによって、特に笹や葦といった比較的硬くて束になっているような草木を容易に刈ることができる。また、三角形状をなす回転刃は、その二辺に刃部を備えているため、回転刃を正回転させた場合はもちろん、逆回転させた場合でも草刈りや剪定を行うことができる。
【００２１】
また、本発明の草刈剪定機に係る回転刃が鎌形状をなし、この鎌形状をなす回転刃を固定刃と接触した状態、又は所定の隙間を空けた状態で回転駆動することによって、特に茅や葛といった比較的柔らかい草木を容易に刈ることができる。更に、鎌形状をなす回転刃は、固定刃との間に所定の隙間を空けた状態で回転駆動しても草木を刈ることができるため、固定刃及び回転刃の長寿命化、作業時間の長時間化が図られる。
【００２２】
また、本発明の草刈剪定機に係る固定刃と回転刃との間に潤滑油を供給する潤滑油供給手段を備えることによっても、固定刃と回転刃との摩擦熱低減による作業時間の長時間化および固定刃及び回転刃の長寿命化が図られる。
【００２３】
更にまた、本発明の草刈剪定機において、駆動スプロケットと従動スプロケットとの間隔を調節するための間隔調節手段を配設することによって、ローラーチェーンに常に一定のテンションを付与することができる。つまり、ローラーチェーンのたるみによって生じる回転刃の揺動を抑制することができるため、固定刃や回転刃の破損防止、ひいては草刈剪定機自体の安全性の向上を図ることができる。
【図面の簡単な説明】
【００２４】
【図１】本発明の一実施形態に係る草刈剪定機の使用状態を示す説明図である。
【図２】本発明の一実施形態に係る草刈剪定機の平面図である。
【図３】図２に示した本発明の一実施形態に係る草刈剪定機の内部構造を示す平面図である。
【図４】図２に示した本発明の一実施形態に係る草刈剪定機の側面図である。
【図５】図２に示した本発明の一実施形態に係る草刈剪定機の内部構造を示す側面図である。
【図６】本発明の他の実施形態に係る草刈剪定機の平面図である。
【図７】図６に示した本発明の他の実施形態に係る草刈剪定機の内部構造を示す平面図である。
【図８】図６に示した本発明の他の実施形態に係る草刈剪定機の側面図である。
【図９】図６に示した本発明の他の実施形態に係る草刈剪定機の内部構造を示す側面図である。
【図１０】本発明の他の実施形態に係る草刈剪定機の平面図である。
【図１１】（ａ）は本発明の草刈剪定機に係る回転刃の一実施形態を示す平面図、（ｂ）は本発明の草刈剪定機に係る固定刃の一実施形態を示す平面図である。
【図１２】（ａ）は本発明の草刈剪定機に係る回転刃の他の実施形態を示す平面図、（ｂ）は本発明の草刈剪定機に係る固定刃の他の実施形態を示す平面図である。
【図１３】本発明の草刈剪定機に係る回転刃の他の実施形態を示す平面図である。
【図１４】（ａ）は本発明の草刈剪定機に係る固定刃の他の実施形態を示す平面図、（ｂ）は（ａ）に示した固定刃の底面図である。
【発明を実施するための形態】
【００２５】
以下、本発明の草刈剪定機の一実施形態について、図面に基づいて説明する。図１は、本発明の一実施形態に係る草刈剪定機１０の使用状態を示す説明図であり、図２は本実施形態に係る草刈剪定機１０の平面図、図３は本実施形態に係る草刈剪定機１０の内部構造を示した平面図、図４は本実施形態に係る草刈剪定機１０の側面図、図５は本実施形態に係る草刈剪定機１０の内部構造を示した側面図である。これら図１〜図５に示すように、本実施形態の草刈剪定機１０は、油圧ショベル等の重機ＸのアームＹの先端に取り付けられる草刈剪定機であって、ベースプレート１２と、ベースプレート１２の一端側に配設された駆動スプロケット１４と、ベースプレート１２の他端側に配設された従動スプロケット１６と、ベースプレート１２の周縁に沿って配設された複数の固定刃１８と、駆動スプロケット１４と従動スプロケット１６に巻き掛けられたローラーチェーン２０と、ローラーチェーン２０の外周に沿って所定間隔で配設された複数の回転刃２２と、回転駆動される回転刃２２の浮き上がりを抑える抑制手段２４とを含んで構成されている。
【００２６】
より具体的には、ベースプレート１２の一端側（草刈剪定機１０における後端側）には駆動スプロケット１４が配設される。駆動スプロケット１４の駆動軸１５は、駆動スプロケット１４の上方に配設された油圧モータ２６に接続されている。なお、この油圧モータ２６と、重機ＸのアームＹに備える油圧配管（不図示）とが油圧ホースＨによって接続され、重機Ｘの操縦者による油圧操作によって、駆動スプロケット１４を駆動することができる。
【００２７】
一方、ベースプレート１２の他端側（草刈剪定機１０における先端側）には従動スプロケット１６が配設される。従動スプロケット１６の回転軸１７は、ベースプレート１２と、草刈剪定機１０の長手方向に、その上方を覆って配設されるカバープレート２８とによって軸支されている。
【００２８】
そして、駆動スプロケット１４と従動スプロケット１６とにローラーチェーン２０が巻き掛けられている。ローラーチェーン２０には、その外周に沿って所定間隔で複数の回転刃２２が取り付けられている。
【００２９】
ここで、本実施形態の草刈剪定機１０に係る回転刃２２の形状は特に限定されないが、例えば図１１（ａ）に示すように、略三角形状をなすものであってもよい。回転刃２２に係る底辺部分にはローラーチェーン２０への取付穴３０を備え、残る２辺に刃部３２を備える。従って、ローラーチェーン２０を時計回り、反時計回りの何れの方向に回転させても草刈りや剪定を行うことができる。
【００３０】
また、ベースプレート１２には、その周縁に沿って複数の固定刃１８が配設されている。本実施形態の草刈剪定機１０に係る固定刃１８の形状も特に限定されないが、例えば図１１（ｂ）に示すように、全体形状が略三角形状をなし、２辺に刃部３２を備え、底辺部分が両側に突出した形状をなし、この両側に突出した底辺部分にベースプレート１２への取付穴３０を備えるものであってもよい。このような形状をなす固定刃１８同士を隣接させてベースプレート１２に取り付けると、突出した底辺部分によって、一の固定刃１８に係る刃部３２と、これに隣接する他の固定刃１８の刃部３２との間に所定の間隔を容易に確保することができる。なお、ベースプレート１２の先端側には、ベースプレート１２に配設された固定刃１８との水平方向の高さを合わせるための先端部プレート１９ａが配設され、ベースプレート１２の後端側には、同じく固定刃１８との水平方向の高さを合わせるための後端部プレート１９ｂが配設されている。これら先端部プレート１９ａ及び後端部プレート１９ｂの形状は特に限定されず、ベースプレート１２の形状によって固定刃１８との水平方向の高さを合わせることが可能であれば、先端部プレート１９ａ及び後端部プレート１９ｂを必ずしも配設する必要はない。
【００３１】
そして、駆動スプロケット１４によって回転駆動される回転刃２２の回転時における浮き上がりを抑える抑制手段２４を備える。この抑制手段２４は、草刈剪定機１０の長手方向に沿って配設される一対の案内板３４、３４と、この一対の案内板３４、３４を連結する連結部材３５と、カバープレート２８上に立設され、連結部材３５を貫通して上方に突出したバネ装着ネジ３６と、カバープレート２８と連結部材３５との間に位置するバネ装着ネジ３６に装着されるバネ３７と、連結部材３５の上方に突出したバネ装着ネジ３６に螺合されるナット３８とを含んで構成される。
【００３２】
つまり、図２、図４及び図５に示すように、一対の案内板３４、３４を連結する連結部材３５と、カバープレート２８との間にバネ３７を介在させた状態で、バネ装着ネジ３６に螺合されたナット３８を螺入することによって、案内板３４、３４で回転刃２２の回転時の浮き上がりを抑制することができ、回転刃２２をスムーズに回転させることができる。特に、回転刃２２の形状が図１１（ａ）に示したような三角形状をなす場合、抑制手段２４に係る一対の案内板３４、３４によって回転刃２２を固定刃１８と接触した状態で回転させるように上方から押さえることで、笹や葦といった比較的硬くて束になっているような草木を容易に刈ることができる。
【００３３】
また、本実施形態の草刈剪定機１０では、ベースプレート１２における複数の固定刃１８の配設位置に、固定刃１８を下方から補助する補助プレート４０が突設されている。補助プレート４０の形状も特に限定されないが、図２に示すように、固定刃１８と略同様の形状をなすことが好ましい。このように、補助プレート４０をベースプレート１２に突設することによって、固定刃１８を補強することができるため、茎の硬い草木等を刈る場合でも、固定刃１８の割れを防止することができ、固定刃１８の長寿命化を図ることができる。また、補助プレート４０による補強によって固定刃１８を薄く形成しても十分な強度が確保でき、固定刃１８自体の製造コストを削減することができ、メンテナンスコストの軽減も図られる。
【００３４】
更に、本実施形態の草刈剪定機１０では、固定刃１８と回転刃２２との間に潤滑油を供給する潤滑油供給手段４２を備えている。潤滑油供給手段４２は、草刈剪定機１０の後端側に配設された潤滑油タンク４３と、従動スプロケット１６に設けられた潤滑油供給路４４と、潤滑油タンク４３から従動スプロケット１６の潤滑油供給路４４に潤滑油を送るための潤滑油パイプ４５とを含んで構成されている。つまり、潤滑油タンク４３から潤滑油パイプ４５を介して潤滑油供給路４４に潤滑油を供給することによって、潤滑油供給路４４から従動スプロケット１６に巻き掛けられたローラーチェーン２０や固定刃１８と回転刃２２との間に潤滑油を供給することができる。従って、固定刃１８と接触した状態で回転刃２２を回転させても、固定刃１８と回転刃２２との摩擦熱低減による作業時間の長時間化および固定刃１８及び回転刃２２の長寿命化が図られる。
【００３５】
また更に、本実施形態の草刈剪定機１０では、駆動スプロケット１４と従動スプロケット１６との間隔を調節するための間隔調節手段５０を備えている。間隔調整手段５０は、従動スプロケット１６の回転軸１７を軸支した状態でベースプレート１２上を前後方向に移動可能な従動スプロケット支持ブロック５１と、この従動スプロケット支持ブロック５１の後端から突出したピン５２に外嵌されたバネ部材５３と、バネ部材５３を案内するバネ部材案内管５４と、先端部にバネ部材５３を押圧する押圧部５５を備える押圧ボルト５６とを含んで構成されている。そして、この押圧ボルト５６が、ベースプレート１２上に固着されたガイドプレート５７に設けられたネジ穴に螺合されている。
【００３６】
押圧ボルト５６をベースプレート１２の先端側（従動スプロケット１６側）に向かって螺入すると、押圧ボルト５６の先端部に備える押圧部５５によってバネ部材５３が押圧される。このバネ部材５３が押圧されることによって、従動スプロケット支持ブロック５１が先端側に押圧されるため、従動スプロケット支持ブロック５１の先端側への移動に伴って、従動スプロケット支持ブロック５１が軸支する従動スプロケット１６が先端側へ移動することとなる。その結果、駆動スプロケット１４と従動スプロケット１６との間隔が調節され、ローラーチェーン２０に常に一定のテンションを付与することができる。
【００３７】
従って、駆動スプロケット１４と従動スプロケット１６とに巻き掛けられたローラーチェーン２０にたるみが生じて回転刃２２が揺動するような場合には、この間隔調節手段５０によって駆動スプロケット１４と従動スプロケット１６との間隔を調節することにより、ローラーチェーン２０のたるみを解消して回転刃２２を安定的に回転駆動することができる。このように、ローラーチェーン２０に常に一定のテンションを付与して回転刃２２を安定的に回転駆動させることができるため、固定刃１８や回転刃２２の破損防止、ひいては草刈剪定機１０自体の安全性の向上を図ることができる。更に、草刈り等の作業中において、ベースプレート１２の先端側から後端側に向かって回転刃２２に対して何らかの外力が作用した場合には、バネ部材５３によって外力を吸収することができ、回転刃２２の破損防止も図られる。
【００３８】
以上のように、本発明の実施形態に係る草刈剪定機１０によると、非常に広範囲な場所の草刈りや剪定を効率的に行うことができる。特に、高速道路脇等の何キロにもわたって草刈り等をしなければならない場所であっても、作業者は重機Ｘを操縦するのみで、簡単且つ高効率で草刈り作業等を行うことができる。
【００３９】
また、本実施形態の草刈剪定機１０は、装置構成が非常に単純であるため、メンテナンス性に優れている。草刈り作業等によって固定刃１８や回転刃２２の一部が欠けたり割れたりした場合であっても、不具合のある刃のみ交換することができるため、メンテナンスコストの低減も図られる。
【００４０】
以上、本発明の実施形態に係る草刈剪定機１０について詳述したが、本発明の草刈剪定機は上記の実施形態に限定されるものではない。図６〜図９に示した本実施形態に係る草刈剪定機１１は、基本的な構成は上記の実施形態に係る草刈剪定機１０と同様である。
【００４１】
本実施形態の草刈剪定機１１は、ベースプレート１２と、ベースプレート１２の一端側に配設された駆動スプロケット１４と、ベースプレート１２の他端側に配設された従動スプロケット１６と、ベースプレート１２の周縁に沿って配設された複数の固定刃１８ａと、駆動スプロケット１４と従動スプロケット１６に巻き掛けられたローラーチェーン２０と、ローラーチェーン２０の外周に沿って所定間隔で配設された複数の回転刃２２ａと、回転駆動される回転刃２２ａの浮き上がりを抑える抑制手段２４とを含んで構成されている。
【００４２】
また、ベースプレート１２における複数の固定刃１８ａの配設位置には、固定刃１８ａを下方から補助する補助プレート４０が突設されている。更に、本実施形態の草刈剪定機１１においても、駆動スプロケット１４と従動スプロケット１６との間隔を調節するための間隔調節手段５０を備えている。
【００４３】
なお、本実施形態の草刈剪定機１１に係る抑制手段２４及び間隔調節手段５０の構成は、上述した実施形態の草刈剪定機１０に係る抑制手段２４及び間隔調節手段５０と同様の構成であるため、説明を省略する。
【００４４】
そして、本実施形態の草刈剪定機１１に係る回転刃２２ａは鎌形状をなしている。具体的には、図１２（ａ）に示すように、回転刃２２ａの全体形状が鎌形状をなし、この回転刃２２ａに係る刃部３２ａには鋸刃が形成されると共に、鋸刃の各頂点を結んだ線が湾曲をなすように形成されている。
【００４５】
一方、ベースプレート１２の周縁に沿って配設される複数の固定刃１８ａの形状は、図１２（ｂ）に示すように、上記実施形態の草刈剪定機１０に係る固定刃１８と同様に略三角形状をなしているが、２辺に備える刃部３２ｂが鋸刃となっている。
【００４６】
以上のように、鎌形状をなす回転刃２２ａ及び固定刃１８ａを備える本実施形態の草刈剪定機１１によると、特に茅や葛といった比較的柔らかい草木を容易に刈ることができる。また、回転刃２２ａに係る刃部３２ａには鋸刃が形成されると共に、鋸刃の各頂点を結んだ線が湾曲をなすように形成されているため、草刈り作業や剪定作業において、回転刃２２ａの刃部３２ａによって草木を内側（回転刃２２ａの取り付け側）に引き込むことができ、草刈り作業等の更なる効率化を図ることができる。
【００４７】
また、上記の実施形態に係る草刈剪定機１０では、抑制手段２４に係る一対の案内板３４、３４によって回転刃２２と固定刃１８とを接触させた状態で回転駆動させているが、本実施形態の草刈剪定機１１においては、回転刃２２ａを鎌形状とすることによって、固定刃１８ａとの間に所定の隙間を空けた状態で回転駆動しても草木を刈ることができる。従って、草刈剪定機１０に係る潤滑油供給手段４２を設けずとも作業時間の長時間化を図ることができると共に、固定刃１８ａ及び回転刃２２ａの長寿命化を図ることができる。
【００４８】
なお、回転刃２２ａと固定刃１８ａとの間に所定の隙間を設ける方法は特に限定されない。例えば、駆動スプロケット１４の駆動軸１５のベースプレート１２側軸受け部及び従動スプロケット１６の回転軸１７のベースプレート１２側軸受け部にスペーサー６０を介在させて、駆動スプロケット１４及び従動スプロケット１６をベースプレート１２から若干、浮かせることによって、駆動スプロケット１４及び従動スプロケット１６に巻き掛けられるローラーチェーン２０もベースプレート２０から若干、上方に位置することとなる。これに伴って、ローラーチェーン２０の外周に沿って配設された回転刃２２ａもスペーサー６０の高さ分だけ上方に位置することとなる。その結果、固定刃１８ａと回転刃２２ａとの間に所定の隙間が形成されることとなる。
【００４９】
以上、本発明の草刈剪定機の実施形態について詳述したが、本発明の技術的思想を実質的に限定するものと解してはならない。例えば、本発明に係る回転刃の態様は上記に示した実施形態に限定されず、図１３に示す回転刃２２ｂのように、全体形状が鎌形状をなし、刃部３２ｃがブレード状に形成されてもよい。
【００５０】
また、本発明に係る固定刃の態様も上記の実施形態に限定されず、図１４に示す固定刃１８ｂのように、全体形状が鎌形状をなし、この固定刃１８ｂに係る刃部３２ｄに鋸刃が形成されると共に、鋸刃の各頂点を結んだ線が湾曲をなすように形成されてもよい。そして、図１０に示す草刈剪定機１１ａのように、回転刃２２ａに係る刃部３２ａと、固定刃１８ｂに係る刃部３２ｄとが相対するように配設すると共に、刃部３２ａと刃部３２ｄとで雑草を挟み込むように回転刃２２ａを回転駆動することによって、より強力で、高効率の草刈り作業を行うことができる。本発明はその要旨を逸脱しない範囲で、当業者の創意と工夫により、適宜に改良、変更又は追加をしながら実施できる。
【符号の説明】
【００５１】
１０、１１、１１ａ：草刈剪定機
１２：ベースプレート
１４：駆動スプロケット
１５：駆動軸
１６：従動スプロケット
１７：回転軸
１８、１８ａ、１８ｂ：固定刃
２０：ローラーチェーン
２２、２２ａ、２２ｂ：回転刃
２４：抑制手段
２６：油圧モータ
２８：カバープレート
３０：取付穴
３２、３２ａ、３２ｂ、３２ｃ、３２ｄ：刃部
３４：案内板
４０：補助プレート
４２：潤滑油供給手段
５０：間隔調整手段
６０：スペーサー
Ｘ：重機
Ｙ：アーム
Ｈ：油圧ホース
【図１】
2018057278.tif 000003
【図２】
2018057278.tif 000004
【図３】
2018057278.tif 000005
【図４】
2018057278.tif 000006
【図５】
2018057278.tif 000007
【図６】
2018057278.tif 000008
【図７】
2018057278.tif 000009
【図８】
2018057278.tif 000010
【図９】
2018057278.tif 000011
【図１０】
2018057278.tif 000012
【図１１】
2018057278.tif 000013
【図１２】
2018057278.tif 000014
【図１３】
2018057278.tif 000015
【図１４】
2018057278.tif 000016